(57)【要約】【課題】外部入力の切り替えの際にミュート処理を行う出力装置において、ミュート処理時間を短縮することによりミュート処理時のユーザの不安感や煩わしさを解消する。【解決手段】複数の外部装置３…を接続する出力装置１において、ユーザにより指定された一の外部装置３への切り替えに関する切替情報をバッファ１１１に記憶させ、バッファ１１１に記憶された切替情報を選択記憶部１１２に一括で記憶させることによって更新し、選択記憶部１１２に記憶された切替情報に基づいてユーザにより指定された一の外部装置３に切り替えて、当該一の外部装置３から入力される出力情報を出力部１３に出力させ、選択記憶部１１２に記憶される切替情報が更新されて、ユーザにより指定された一の外部装置３に切り替えられている間、ミュート信号に基づいて所定のミュート処理を行って、出力部１３による出力情報の出力を禁止させるよう構成した。【選択図】図１
2008263533.tif 000002
【特許請求の範囲】
【請求項１】
複数の外部装置を接続し、当該複数の外部装置のうちの一の外部装置から入力される画像情報及び／又は音声情報からなる出力情報を出力する出力装置において、
ユーザが、前記複数の外部装置のうちの一の外部装置を指定するための指定手段と、
前記指定手段により指定された一の外部装置への切り替えに関する切替情報を第１記憶手段に記憶させる記憶制御手段と、
前記第１記憶手段に記憶された切替情報を第２記憶手段に一括で記憶させることによって、当該第２記憶手段に記憶される切替情報を更新する更新手段と、
前記第２記憶手段に記憶された切替情報に基づいて、前記複数の外部装置のうちの前記指定手段により指定された一の外部装置に切り替える切替手段と、
前記切替手段により切り替えられた一の外部装置から入力される出力情報を出力手段に出力させる出力制御手段と、
前記更新手段による前記第２記憶手段に記憶される切替情報の更新が開始されてから、前記切替手段による前記指定手段により指定された一の外部装置への切り替えが完了するまでの間、前記出力制御手段にミュート信号を入力する入力手段と、を備え、
前記出力制御手段は、前記入力手段によりミュート信号が入力されている間、当該ミュート信号に基づいて所定のミュート処理を行って、前記出力手段による出力情報の出力を禁止させることを特徴とする出力装置。
【請求項２】
請求項１に記載の出力装置において、
前記第１記憶手段に記憶された切替情報が正しいか否かを判定する判定手段を備え、
前記更新手段は、前記判定手段により前記第１記憶手段に記憶された切替情報が正しいと判定された場合に、当該第１記憶手段に記憶された切替情報を前記第２記憶手段に一括で記憶させることによって、当該第２記憶手段に記憶される切替情報を更新することを特徴とする出力装置。
【請求項３】
複数の外部装置を接続し、当該複数の外部装置のうちの一の外部装置から入力される画像情報及び／又は音声情報からなる出力情報を出力する出力装置において、
前記複数の外部装置は、アナログ放送信号を受信して当該アナログ放送信号に基づく出力情報を前記出力装置に入力するアナログ放送用チューナ装置と、デジタル放送信号を受信して当該デジタル放送信号に基づく出力情報を前記出力装置に入力するデジタル放送用チューナ装置と、のうちの少なくとも何れかを含み、
ユーザが、前記複数の外部装置のうちの一の外部装置を指定するための指定手段と、
前記指定手段により指定された一の外部装置への切り替えに関する切替情報を第１記憶手段に記憶させる記憶制御手段と、
前記第１記憶手段に記憶された切替情報が正しいか否かを判定する判定手段と、
前記判定手段により前記第１記憶手段に記憶された切替情報が正しいと判定された場合に、当該第１記憶手段に記憶された切替情報を第２記憶手段に一括で記憶させることによって、当該第２記憶手段に記憶される切替情報を更新する更新手段と、
前記第２記憶手段に記憶された切替情報に基づいて、前記複数の外部装置のうちの前記指定手段により指定された一の外部装置に切り替える切替手段と、
前記切替手段により切り替えられた一の外部装置から入力される出力情報を出力手段に出力させる出力制御手段と、
前記更新手段による前記第２記憶手段に記憶される切替情報の更新が開始されてから、前記切替手段による前記指定手段により指定された一の外部装置への切り替えが完了するまでの間、前記出力制御手段にミュート信号を入力する入力手段と、を備え、
前記出力制御手段は、前記入力手段によりミュート信号が入力されている間、当該ミュート信号に基づいて所定のミュート処理を行って、前記出力手段による出力情報の出力を禁止させることを特徴とする出力装置。
【発明の詳細な説明】
【技術分野】
【０００１】
本発明は、出力装置に関する。
【背景技術】
【０００２】
従来、接続されたチューナから入力されるテレビジョン放送番組や、接続されたＤＶＤプレイヤ等の再生装置から入力されるコンテンツを出力する出力装置においては、外部入力の切り替えやチャンネルの切り替えの際に生じる画像や音声の乱れをユーザに視聴させないために、ミュート処理を行っている。
【０００３】
具体的には、例えば、地上波から地上波への切り替え、地上波から外部ビデオ機器への切り替え、地上波から衛星放送波への切り替え等のチャンネル切替操作に応動して、ビデオミュート動作の開始を指令するとともに、チャンネル切替後のビデオ回路の同期引き込み動作の完了を検知すると、当該検知に応動して当該ビデオミュート動作の終了を指令するテレビジョン受像機が提案されている（例えば、特許文献１参照）。
【０００４】
また、例えば、チャンネル切替時の選局動作中を示す信号をミュートパルス信号として使用して、ビデオミュート回路及びオーディオミュート回路を動作させるチューナ装置を備えたビデオテープレコーダやテレビジョン受像機が提案されている（例えば、特許文献２参照）。
【０００５】
また、ＢＳチャンネル切替信号をトリガとしてミュート信号を発生し、ＢＳチャンネル切替信号の入力後の新たな番組情報の取り込みをトリガとしてミュート信号を解除するミュート信号発生回路を備えたスクランブル放送受信機が提案されている（例えば、特許文献３参照）。
【０００６】
また、チャンネルの切替指定時に視聴処理部に対して音声のミュートをかけるとともにチャンネル切替画面を表示させ、音声のデコード完了を検知して音声のミュートを解除させ、指定チャンネルのデコード映像を表示するデジタル放送用受信装置が提案されている（例えば、特許文献４参照）。
【特許文献１】特開平０５−２３６３８１号公報
【特許文献２】特開平０７−２３１４０８号公報
【特許文献３】特開平０７−２７４０８４号公報
【特許文献４】特開２００６−０７４２４１号公報
【発明の開示】
【発明が解決しようとする課題】
【０００７】
しかしながら、特許文献１，３，４では、ユーザによりチャンネル切替が指示されてから、その指示されたチャンネルにかかる出力を行うまでの期間が、ミュート処理時間であるため、ミュート処理時間が長く、ユーザが不安感を覚えたり、煩わしく感じたりするという問題がある。
また、特許文献２では、選局動作をしている期間が、ミュート処理時間であるため、ミュート処理時間が長く、ユーザが不安感を覚えたり、煩わしく感じたりするという問題がある。
【０００８】
本発明の課題は、外部入力の切り替えの際にミュート処理を行う出力装置において、ミュート処理時間を短縮することによりミュート処理時のユーザの不安感や煩わしさを解消することにある。
【課題を解決するための手段】
【０００９】
上記課題を解決するために、請求項１に記載の発明は、
複数の外部装置を接続し、当該複数の外部装置のうちの一の外部装置から入力される画像情報及び／又は音声情報からなる出力情報を出力する出力装置において、
ユーザが、前記複数の外部装置のうちの一の外部装置を指定するための指定手段と、
前記指定手段により指定された一の外部装置への切り替えに関する切替情報を第１記憶手段に記憶させる記憶制御手段と、
前記第１記憶手段に記憶された切替情報を第２記憶手段に一括で記憶させることによって、当該第２記憶手段に記憶される切替情報を更新する更新手段と、
前記第２記憶手段に記憶された切替情報に基づいて、前記複数の外部装置のうちの前記指定手段により指定された一の外部装置に切り替える切替手段と、
前記切替手段により切り替えられた一の外部装置から入力される出力情報を出力手段に出力させる出力制御手段と、
前記更新手段による前記第２記憶手段に記憶される切替情報の更新が開始されてから、前記切替手段による前記指定手段により指定された一の外部装置への切り替えが完了するまでの間、前記出力制御手段にミュート信号を入力する入力手段と、を備え、
前記出力制御手段は、前記入力手段によりミュート信号が入力されている間、当該ミュート信号に基づいて所定のミュート処理を行って、前記出力手段による出力情報の出力を禁止させることを特徴とする。
【００１０】
請求項２に記載の発明は、
請求項１に記載の出力装置において、
前記第１記憶手段に記憶された切替情報が正しいか否かを判定する判定手段を備え、
前記更新手段は、前記判定手段により前記第１記憶手段に記憶された切替情報が正しいと判定された場合に、当該第１記憶手段に記憶された切替情報を前記第２記憶手段に一括で記憶させることによって、当該第２記憶手段に記憶される切替情報を更新することを特徴とする。
【００１１】
請求項３に記載の発明は、
複数の外部装置を接続し、当該複数の外部装置のうちの一の外部装置から入力される画像情報及び／又は音声情報からなる出力情報を出力する出力装置において、
前記複数の外部装置は、アナログ放送信号を受信して当該アナログ放送信号に基づく出力情報を前記出力装置に入力するアナログ放送用チューナ装置と、デジタル放送信号を受信して当該デジタル放送信号に基づく出力情報を前記出力装置に入力するデジタル放送用チューナ装置と、のうちの少なくとも何れかを含み、
ユーザが、前記複数の外部装置のうちの一の外部装置を指定するための指定手段と、
前記指定手段により指定された一の外部装置への切り替えに関する切替情報を第１記憶手段に記憶させる記憶制御手段と、
前記第１記憶手段に記憶された切替情報が正しいか否かを判定する判定手段と、
前記判定手段により前記第１記憶手段に記憶された切替情報が正しいと判定された場合に、当該第１記憶手段に記憶された切替情報を第２記憶手段に一括で記憶させることによって、当該第２記憶手段に記憶される切替情報を更新する更新手段と、
前記第２記憶手段に記憶された切替情報に基づいて、前記複数の外部装置のうちの前記指定手段により指定された一の外部装置に切り替える切替手段と、
前記切替手段により切り替えられた一の外部装置から入力される出力情報を出力手段に出力させる出力制御手段と、
前記更新手段による前記第２記憶手段に記憶される切替情報の更新が開始されてから、前記切替手段による前記指定手段により指定された一の外部装置への切り替えが完了するまでの間、前記出力制御手段にミュート信号を入力する入力手段と、を備え、
前記出力制御手段は、前記入力手段によりミュート信号が入力されている間、当該ミュート信号に基づいて所定のミュート処理を行って、前記出力手段による出力情報の出力を禁止させることを特徴とする。
【発明の効果】
【００１２】
本発明によれば、指定手段によって、ユーザは、複数の外部装置のうちの一の外部装置を指定することができ、記憶制御手段によって、指定手段により指定された一の外部装置への切り替えに関する切替情報を第１記憶手段に記憶させることができ、更新手段によって、第１記憶手段に記憶された切替情報を第２記憶手段に一括で記憶させることによって、当該第２記憶手段に記憶される切替情報を更新することができ、切替手段によって、第２記憶手段に記憶された切替情報に基づいて、複数の外部装置のうちの指定手段により指定された一の外部装置に切り替えることができ、出力制御手段によって、切替手段により切り替えられた一の外部装置から入力される出力情報を出力手段に出力させることができ、入力手段によって、更新手段による第２記憶手段に記憶される切替情報の更新が開始されてから、切替手段による指定手段により指定された一の外部装置への切り替えが完了するまでの間、出力制御手段にミュート信号を入力することができ、そして、出力制御手段は、入力手段によりミュート信号が入力されている間、当該ミュート信号に基づいて所定のミュート処理を行って、出力手段による出力情報の出力を禁止させることができる。
すなわち、ミュート処理時間は、第２記憶手段に記憶される切替情報の更新が開始されてから、ユーザにより指定された一の外部装置への切り替えが完了するまでの間であり、さらに、第２記憶手段は切替情報を一括で記憶することにより更新されるため、ユーザにより外部入力切替が指示されてからその指示された外部入力にかかる出力を行うまでの期間がミュート処理時間である場合と比較して、ミュート処理時間を短縮することができるため、ミュート処理時のユーザの不安感や煩わしさを解消することができる。
【発明を実施するための最良の形態】
【００１３】
以下、図を参照して、本発明を実施するための最良の形態を詳細に説明する。なお、発明の範囲は、図示例に限定されない。
【００１４】
出力装置１は、例えば、液晶テレビやプラズマテレビなどに組み込まれた映像（画像）音声出力装置であり、例えば、図１に示すように、複数の外部装置３…を接続し、複数の外部装置３…のうちの一の外部装置３から入力される画像情報及び／又は音声情報からなる出力情報を出力する。
【００１５】
出力装置１は、外部装置３として、例えば、アナログ放送信号を受信して当該アナログ放送信号に基づく出力情報を出力装置１に入力するアナログ放送用チューナ装置３１と、デジタル放送信号を受信して当該デジタル放送信号に基づく出力情報を出力装置１に入力するデジタル放送用チューナ装置３２と、ＤＶＤ（Digital Versatile Disk）に記録された出力情報を再生して出力装置１に出力するＤＶＤプレイヤ３３と、などを接続している。
なお、外部装置３は、アナログ放送用チューナ装置３１と、デジタル放送用チューナ装置３２と、ＤＶＤプレイヤ３３と、の限りではなく、出力装置１に出力情報を入力できる好適なＡＶ機器であれば任意であり、例えば、ビデオレコーダ、ＰＶＲ（Personal Video Recorder）、ＳＴＢ（Set Top Box）、ＣＤ（Compact Disc）プレイヤ、オーディオ装置などであってもよい。
また、出力装置１に接続される複数の外部装置３…の個数は、アナログ放送用チューナ装置３１と、デジタル放送用チューナ装置３２と、ＤＶＤプレイヤ３３と、の３つの限りではなく、アナログ放送用チューナ装置３１と、デジタル放送用チューナ装置３２と、のうちの少なくとも何れかを含み、且つ、複数であれば、任意である。
【００１６】
出力装置１は、例えば、図１に示すように、ＡＶスイッチ１１と、出力制御部１２と、出力部１３と、操作部１４と、制御部１５と、などを備えて構成される。
【００１７】
ＡＶスイッチ１１は、例えば、複数の外部装置３…のうちの一の外部装置３から入力される出力情報を、出力制御部１２に出力する。
具体的には、ＡＶスイッチ１１は、例えば、図１に示すように、バッファ１１１と、選択記憶部１１２と、切替部１１３と、などを備えて構成される。
【００１８】
バッファ１１１は、例えば、第１記憶手段として、制御部１５から入力される制御信号に従って、ユーザによる操作部１４の操作により指定された一の外部装置３への切り替えに関する切替情報を記憶する。
具体的には、バッファ１１１は、例えば、ユーザにより指定された一の外部装置３からの画像（映像）入力への切り替えに関する画像用切替情報と、ユーザにより指定された一の外部装置３からの音声入力への切り替えに関する音声用切替情報と、を順次記憶する。
【００１９】
また、バッファ１１１は、例えば、制御部１５から入力される制御信号に従って、バッファ１１１に記憶された切替情報を選択記憶部１１２に一括で記憶させる。
【００２０】
選択記憶部１１２は、例えば、第２記憶手段として、バッファ１１１に記憶された切替情報を一括で記憶する。
具体的には、選択記憶部１１２は、例えば、バッファ１１１に記憶された、ユーザにより指定された一の外部装置３からの画像（映像）入力への切り替えに関する画像用切替情報と、ユーザにより指定された一の外部装置３からの音声入力への切り替えに関する音声用切替情報と、を一括で記憶する。
【００２１】
ここで、切替情報は、バッファ１１１に順次記憶されるのに対し、選択記憶部１１２に一括で記憶されるため、例えば、選択記憶部１１２に記憶される切替情報の更新のために選択記憶部１１２に切替情報を記憶させる際の所要時間は、バッファ１１１に切替情報を記憶させる際の所要時間よりも短くなる。
【００２２】
切替部１１３は、例えば、切替手段として、選択記憶部１１２に記憶された切替情報に基づいて、複数の外部装置３…のうちのユーザによる操作部１４の操作により指定された一の外部装置３に切り替え、そして、当該切り替えた一の外部装置３から入力される出力情報を出力制御部１２に出力する。
具体的には、切替部１１３は、選択記憶部１１２に記憶された画像用切替情報に基づいて、複数の外部装置３…のうちのユーザにより指定された一の外部装置３からの画像入力に切り替えるとともに、選択記憶部１１２に記憶された音声用切替情報に基づいて、複数の外部装置３…のうちのユーザにより指定された一の外部装置３からの音声入力に切り替える。
【００２３】
ここで、切替部１１３は、例えば、選択記憶部１１２に記憶される切替情報の更新が完了すると略同時に、ユーザにより指定された一の外部装置３に切り替えるようになっている。
すなわち、切替部１１３は、例えば、選択記憶部１１２による画像用切替情報の記憶が完了すると略同時に、画像入力を切り替えて、選択記憶部１１２による音声用切替情報の記憶が完了すると略同時に、音声入力を切り替えるようになっているが、本発明では、選択記憶部１１２に画像用切替情報と音声用切替情報とを一括で記憶させることによって、選択記憶部１１２に記憶される切替情報が更新させるため、切替部１１３は、選択記憶部１１２に記憶される切替情報の更新が完了すると略同時に、画像入力と音声入力とを一括で切り替えることになる。
【００２４】
出力制御部１２は、例えば、出力制御手段として、制御部１５から入力される制御信号に従って、切替部１１３により切り替えられた一の外部装置３から入力される出力情報を出力部１３に出力させる。
具体的には、出力制御部１２は、例えば、切替部１１３から入力される出力情報に所定の処理を施して、当該出力情報から、画像情報と、音声情報と、等を分離し、当該画像情報をデコードして出力部１３の画像出力部１３１に出力するとともに、当該音声情報をデコードして出力部１３の音声出力部１３２に出力する。
【００２５】
また、出力制御部１２は、例えば、入力プログラム１５３ｄを実行したＣＰＵ１５１によりミュート信号が入力されている間、当該ミュート信号に基づいて所定のミュート処理を行って、出力部１３による出力情報の出力を禁止させる。
具体的には、出力制御部１２は、例えば、ミュート信号が入力されている間、切替部１１３から入力される出力情報を、出力部１３に出力しないようになっている。
【００２６】
出力部１３は、例えば、出力手段として、切替部１１３により切り替えられた一の外部装置３から入力される出力情報を出力する。
具体的には、出力部１３は、例えば、図１に示すように、画像出力部１３１と、音声出力部１３２と、などを備えて構成される。
【００２７】
画像出力部１３１は、例えば、液晶表示機器等であり、例えば、出力制御部１２から入力される画像情報に基づく画像を出力する。
【００２８】
音声出力部１３２は、例えば、スピーカ機器等であり、例えば、出力制御部１２から入力される音声情報に基づく音声を出力する。
【００２９】
操作部１４は、例えば、出力装置１の外面に設けられた操作ボタン（図示省略）や、出力装置１用のリモートコントローラ（図示省略）及び当該リモートコントローラと通信可能なリモコン受信部（図示省略）などから構成されており、例えば、ユーザにより操作されると、当該操作に伴う各種信号を制御部１５に出力する。
具体的には、操作部１４は、例えば、指定手段として、ユーザが、複数の外部装置３…のうちの一の外部装置３を指定する際に操作される。
【００３０】
制御部１５は、例えば、図１に示すように、ＣＰＵ（Central Processing Unit）１５１と、ＲＡＭ（Random Access Memory）１５２と、記憶部１５３と、などを備えて構成される。
【００３１】
ＣＰＵ１５１は、例えば、記憶部１５３に記憶された出力装置１用の各種処理プログラムに従って各種の制御動作を行う。
【００３２】
ＲＡＭ１５２は、例えば、ＣＰＵ１５１によって実行される処理プログラムなどを展開するためのプログラム格納領域や、入力データや上記処理プログラムが実行される際に生じる処理結果などを格納するデータ格納領域などを備える。
【００３３】
記憶部１５３は、例えば、出力装置１で実行可能なシステムプログラム、当該システムプログラムで実行可能な各種処理プログラム、これら各種処理プログラムを実行する際に使用されるデータ、ＣＰＵ１５１によって演算処理された処理結果のデータなどを記憶する。なお、プログラムは、コンピュータが読み取り可能なプログラムコードの形で記憶部１５３に記憶されている。
【００３４】
具体的には、記憶部１５３は、例えば、図１に示すように、記憶制御プログラム１５３ａと、判定プログラム１５３ｂと、更新プログラム１５３ｃと、入力プログラム１５３ｄと、などを記憶している。
【００３５】
記憶制御プログラム１５３ａは、例えば、ユーザによる操作部１４の操作により指定された一の外部装置３への切り替えに関する切替情報をバッファ１１１に記憶させる機能を、ＣＰＵ１５１に実現させる。
【００３６】
具体的には、例えば、切替部１１３によりアナログ放送用チューナ装置３１に切り替えられて、アナログ放送用チューナ装置３１から入力されるアナログ放送信号に基づく出力情報が出力部１３により出力されている場合に、ユーザによる操作部１４の操作によってデジタル放送用チューナ装置３２に切り替えるよう指示されると、ＣＰＵ１５１は、デジタル放送用チューナ装置３２へ切り替える旨の画像用切替情報と音声用切替情報とをバッファ１１１に順次記憶させる。
ＣＰＵ１５１は、かかる記憶制御プログラム１５３ａを実行することによって、記憶制御手段として機能する。
【００３７】
判定プログラム１５３ｂは、例えば、バッファ１１１に記憶された切替情報が正しいか否かを判定する機能を、ＣＰＵ１５１に実現させる。
【００３８】
具体的には、バッファ１１１に新たな切替情報が記憶されると、ＣＰＵ１５１は、そのバッファ１１１に記憶された切替情報を読み出して、正しい切替情報がバッファ１１１に記憶されたか否か判定する。
ＣＰＵ１５１は、かかる判定プログラム１５３ｂを実行することによって、判定手段として機能する。
【００３９】
更新プログラム１５３ｃは、例えば、バッファ１１１に記憶された切替情報を選択記憶部１１２に一括で記憶させることによって、選択記憶部１１２に記憶される切替情報を更新する機能を、ＣＰＵ１５１に実現させる。
【００４０】
具体的には、ＣＰＵ１５１は、判定プログラム１５３ｂを実行したＣＰＵ１５１によりバッファ１１１に記憶された切替情報が正しいと判定された場合に、バッファ１１１に制御信号を入力して、バッファ１１１に記憶された画像用切替情報と音声用切替情報とを選択記憶部１１２に一括で記憶させることによって、選択記憶部１１２に記憶される切替情報を更新する。
ＣＰＵ１５１は、かかる更新プログラム１５３ｃを実行することによって、更新手段として機能する。
【００４１】
入力プログラム１５３ｄは、例えば、更新プログラム１５３ｃを実行したＣＰＵ１５１による選択記憶部１１２に記憶される切替情報の更新が開始されてから、切替部１１３によるユーザによる操作部１４の操作により指定された一の外部装置３への切り替えが完了するまでの間、出力制御部１２にミュート信号を入力する機能をＣＰＵ１５１に実現させる。
ＣＰＵ１５１は、かかる入力プログラム１５３ｄを実行することによって、入力手段として機能する。
【００４２】
ここで、ミュート信号の入力タイミングについて、図２を参照して詳細に説明する。
【００４３】
まず、ユーザによる操作部１４の操作によって一の外部装置３（例えば、デジタル放送用チューナ装置３２）に切り替えるよう指示されると［外部入力切替指示］、ＣＰＵ１５１は、記憶制御プログラム１５３ａを実行して、ユーザにより指定されたデジタル放送用チューナ装置３２への切り替えに関する切替情報をバッファ１１１に記憶させる［記憶（Reg-Write）］。
【００４４】
次いで、ＣＰＵ１５１は、判定プログラム１５３ｂを実行して、バッファ１１１に記憶された切替情報が正しいか否かを判定する［判定（Reg-Read）］。
【００４５】
次いで、判定プログラム１５３ｂを実行したＣＰＵ１５１によりバッファ１１１に記憶された切替情報が正しいと判定されると、ＣＰＵ１５１は、更新プログラム１５３ｃを実行してバッファ１１１に記憶された切替情報を選択記憶部１１２に一括で記憶させることによって選択記憶部１１２に記憶される切替情報を更新して、切替部１１３にユーザにより指定されたデジタル放送用チューナ装置３２に切り替えさせるとともに［更新］、入力プログラム１５３ｄを実行して、更新プログラム１５３ｃを実行したＣＰＵ１５１による選択記憶部１１２に記憶される切替情報の更新が開始されてから、切替部１１３によるユーザにより指定されたデジタル放送用チューナ装置３２への切り替えが完了するまでの間、出力制御部１２にミュート信号を入力する。
これにより、選択記憶部１１２に記憶される切替情報の更新が開始されてから、切替部１１３による切り替えが完了するまでの間のみ、出力部１３はミュートされることになる。
【００４６】
そして、出力部１３からは、ユーザにより指定された一の外部装置３（デジタル放送用チューナ装置３２）から入力される出力情報が出力されることになる。
【００４７】
以上説明した本発明の出力装置１によれば、ユーザによる操作部１４の操作によって、複数の外部装置３…のうちの一の外部装置３を指定することができ、記憶制御プログラム１５３ａを実行したＣＰＵ１５１によって、ユーザによる操作部１４の操作により指定された一の外部装置３への切り替えに関する切替情報をバッファ１１１に記憶させることができ、更新プログラム１５３ｃを実行したＣＰＵ１５１によって、バッファ１１１に記憶された切替情報を選択記憶部１１２に一括で記憶させることによって、選択記憶部１１２に記憶される切替情報を更新することができ、切替部１１３によって、選択記憶部１１２に記憶された切替情報に基づいて、複数の外部装置３…のうちのユーザによる操作部１４の操作により指定された一の外部装置３に切り替えることができ、出力制御部１２によって、切替部１１３により切り替えられた一の外部装置３から入力される出力情報を出力部１３に出力させることができ、入力プログラム１５３ｄを実行したＣＰＵ１５１によって、更新プログラム１５３ｃを実行したＣＰＵ１５１による選択記憶部１１２に記憶される切替情報の更新が開始されてから、切替部１１３によるユーザによる操作部１４の操作により指定された一の外部装置３への切り替えが完了するまでの間、出力制御部１２にミュート信号を入力することができ、そして、出力制御部１２は、入力プログラム１５３ｄを実行したＣＰＵ１５１によりミュート信号が入力されている間、当該ミュート信号に基づいて所定のミュート処理を行って、出力部１３による出力情報の出力を禁止させることができる。
すなわち、ミュート処理時間は、選択記憶部１１２に記憶される切替情報の更新が開始されてから、ユーザにより指定された一の外部装置３への切り替えが完了するまでの間であり、さらに、選択記憶部１１２は切替情報を一括で記憶することにより更新されるため、ユーザにより外部入力切替が指示されてからその指示された外部入力にかかる出力を行うまでの期間がミュート処理時間である場合と比較して、ミュート処理時間を短縮することができるため、ミュート処理時のユーザの不安感や煩わしさを解消することができる。
【００４８】
また、出力装置１によれば、判定プログラム１５３ｂを実行したＣＰＵ１５１によって、バッファ１１１に記憶された切替情報が正しいか否かを判定することができ、そして、更新プログラム１５３ｃを実行したＣＰＵ１５１は、判定プログラム１５３ｂを実行したＣＰＵ１５１によりバッファ１１１に記憶された切替情報が正しいと判定された場合に、バッファ１１１に記憶された切替情報を選択記憶部１１２に一括で記憶させることによって、選択記憶部１１２に記憶される切替情報を更新することができる。
したがって、ユーザが所望する外部入力切替を正確に実行することができる。
【００４９】
なお、本発明は、上記した実施の形態のものに限るものではなく、その要旨を逸脱しない範囲で適宜変更可能である。
【００５０】
出力装置１は、例えば、アナログ放送用チューナ装置３１及び／又はデジタル放送用チューナ３２と一体となった、テレビジョン受信装置であってもよい。この場合、外部装置３としては、例えば、ＤＶＤプレイヤ３３のような、所定の記録媒体に記録された出力情報を再生する再生装置などが挙げられる。
【００５１】
バッファ１１１に記憶された切替情報が正しいか否かを判定することなく、バッファ１１１に記憶された切替情報を選択記憶部１１２に記憶させて、選択記憶部１１２に記憶される切替情報を更新させるようにしてもよい。
【図面の簡単な説明】
【００５２】
【図１】本発明にかかる出力装置の機能的構成を示す図である。
【図２】ミュート信号の入力タイミングについて説明するための図である。
【符号の説明】
【００５３】
１  出力装置
１４  操作部（指定手段）
１２  出力制御部（出力制御手段）
１３  出力部（出力手段）
１１１  バッファ（第１記憶手段）
１１２  選択記憶部（第２記憶手段）
１１３  切替部（切替手段）
１５１  ＣＰＵ（記憶制御手段、判定手段、更新手段、入力手段）
１５３ａ  記憶制御プログラム（記憶制御手段）
１５３ｂ  判定プログラム（判定手段）
１５３ｃ  更新プログラム（更新手段）
１５３ｄ  入力プログラム（入力手段）
３  外部装置
【図１】
2008263533.tif 000003
【図２】
2008263533.tif 000004